(57)【要約】【課題】複数の汚染物質を含む空気を液体との接触により、効率よく処理する空気清浄機を提供する。【解決手段】空気と処理液とを接触させることにより、前記空気中の汚染物質をその処理液で処理して減少させる気液接触手段と、前記空気を取り込み前記気液接触手段へ導入する送気手段および吸気手段の少なくとも一つと、前記気液接触手段の前記処理液のｐＨを経時的に変化させるｐＨ制御手段とを備えたことを特徴とする空気清浄機である。処理液のｐＨを経時的に変化させることにより、複数の汚染物質が効率よく処理される。【選択図】        図１
2005013793.tif 000002
【特許請求の範囲】
【請求項１】
空気と処理液とを接触させることにより、前記空気中の汚染物質をその処理液で処理して減少させる気液接触手段と、前記空気を取り込み前記気液接触手段へ導入する送気手段および吸気手段の少なくとも一つと、前記気液接触手段の前記処理液のｐＨを経時的に変化させるｐＨ制御手段とを備えたことを特徴とする空気清浄機。
【請求項２】
前記ｐＨ制御手段は、異なるｐＨの溶液を有する複数の供給手段と、前記溶液を前記気液接触手段へ供給し、および前記気液接触手段の前記処理液を排水する制御装置とを含む請求項１に記載の空気清浄機。
【請求項３】
前記ｐＨ制御手段は、酸性水を貯蔵する酸性水貯蔵部と、アルカリ性水を貯蔵するアルカリ性水貯蔵部と、前記酸性水貯蔵部の酸性水と前記アルカリ性水貯蔵部のアルカリ性水とを前記気液接触手段へ供給し、および前記気液接触手段の前記処理液を排水する制御装置とを含む請求項１に記載の空気清浄機。
【請求項４】
前記ｐＨ制御手段は、中性水を貯蔵する中性水貯蔵部を含む請求項３に記載の空気清浄機。
【請求項５】
前記ｐＨ制御手段は、水を電気分解することにより酸性水とアルカリ性水とを生成する電解槽と、前記電解槽で生成された前記酸性水と前記アルカリ性水とを前記気液接触手段へ供給し、および前記気液接触手段の前記処理液を排水する制御装置とを含む請求項１に記載の空気清浄機。
【請求項６】
前記ｐＨ制御手段は、前記気液接触手段の処理液のｐＨを計測するｐＨ計測手段を含む請求項１ないし５のいずれか１項に記載の空気清浄機。
【請求項７】
前記気液接触手段は、送気手段により前記空気清浄機内へ導入された空気を前記処理液内に散気し、前記処理液と前記空気とを接触させ、前記空気中の汚染物質を処理するものである請求項１ないし６のいずれか１項に記載の空気清浄機。
【請求項８】
前記気液接触手段は、流動する前記処理液と、送気手段または吸気手段により前記空気清浄機内へ導入された空気とを、前記空気が流動する前記処理液を通過することにより接触させ、前記空気中の汚染物質を処理するものである請求項１ないし６のいずれか１項に記載の空気清浄機。
【請求項９】
前記気液接触手段は、含浸部材内を流動する処理液と、送気手段または吸気手段により前記空気清浄機内へ導入された空気とを、前記空気が前記含浸部材を通過することにより接触させ、前記空気中の汚染物質を処理するものである請求項１ないし６のいずれか１項に記載の空気清浄機。
【発明の詳細な説明】
【０００１】
【発明が属する技術分野】
本発明は、空気中に含まれるガスや塵埃などの汚染物質を除去するため、液体を使用する空気清浄機に関する。
【０００２】
【従来の技術】
空気中の複数種類のガスや煙、塵、埃などを除去するための空気清浄機において、内部に処理液を有するタイプのものがある。このタイプにおいては、空気を取り込み内部の処理液と気液接触を利用して処理する。この処理方法では、汚染物質を含む空気と処理液としての水とが接触することにより、空気内の汚染物質が水に溶解して処理される。
【０００３】
特開平１０−３０９４３２号においては、吸収液のｐＨ値を所定の範囲内にすることでガスの溶解性の劣化を防止する可溶性ガス除去装置を開示している。この装置では、中性またはその近傍のｐＨの吸収液でよく吸収されるガスであれば、効率よく処理し続けることができる。しかし中性の水または中性に近い水を使用すると空気中に含まれている臭気成分が必ずしも十分に除去されない。つまり酸性ガスやアルカリ性ガスの場合は、処理されにくく、これらに特化した高効率の除去が期待できない。
【０００４】
そこで処理液として酸性水またはアルカリ性水を用いる空気清浄機もある。特許第３３４９３５９号において、効率よく酸性ガスとアルカリ性ガスを除去するため、酸性水でアルカリ性ガスを、アルカリ性水で酸性ガスを除去する空気清浄機が開示されている。
【０００５】
【発明が解決しようとする課題】
しかしながら、このように空気と気液接触によって塵埃や吸気成分を除去する場合、処理液として酸性水またはアルカリ性水を使用しても、空気中に含まれる除去する汚染物質の性質により、吸収されやすい処理液のｐＨが異なるため、処理すべき空気内の臭気成分に対し、適応するｐＨ（水素イオン濃度）の処理液でなければ、十分な除去効果が得られない。また空気中には多種類の汚染物質が含まれていることが多く、したがってこれら全てを処理するのは、困難である。
【０００６】
また特許第３３４９３５９号における酸性水とアルカリ性水を使用する空気清浄機では、酸性のガスまたはアルカリ性のガスを処理する場合、中性の水を使用する場合に比べ効率はよいが、ｐＨ値の制御ができないため、汚染物質を除去するのに最適なｐＨ値とずれていた場合、効率よく汚染物質を除去できるとはいえない。この発明では、酸及びアルカリによる処理槽がそれぞれ必要であるという問題点もある。さらに長期間、同一の槽内に酸のみ、もしくはアルカリのみを保持しておくと、酸性水で処理する槽はこの酸性水により、アルカリ性水で処理する槽はこのアルカリ性水により処理槽自体が劣化する。
【０００７】
そこで複数の汚染物質が含まれる空気を清浄化することのできるこれらの問題点を解決した空気清浄機が望まれている。本発明は、上記課題を解決するためになされたもので、各種臭気成分を効率よく処理する空気清浄機を提供するものである。
【０００８】
【課題を解決するための手段及び発明の効果】
そこで本発明は、空気と処理液とを接触させることにより、空気中の汚染物質をその処理液で処理して減少させる気液接触手段と、空気を取り込み気液接触手段へ導入する送気手段および吸気手段の少なくとも一つと、気液接触手段の処理液のｐＨを経時的に変化させるｐＨ制御手段とを備えたことを特徴とする。
【０００９】
気液接触手段の処理液のｐＨを経時的に変化させるためのｐＨ制御手段を有することにより、空気中に含まれる臭気成分などの汚染物質が反応しやすいｐＨに処理液が変化し、複数の汚染物質を処理することができる。したがって例えば、酸性を示す汚染物質を除去するには、アルカリ性の処理液と接触させ、アルカリ性を示す物質を除去するには、酸性の処理液と接触させると効率よく除去することができるが、処理液のｐＨを経時的に変化させるため、双方の物質を処理することも可能となる。
【００１０】
また処理液のｐＨを経時的に制御し、特定のｐＨ値である時間を長くしたりすることにより、除去対象ガスを特に効率よく処理することができる。また空気中の汚染物質に合わせて、ｐＨの変化を段階的に設定すれば、複数のガスを効率よく処理することができる。また処理液のｐＨを変化させるため、処理液を入れる処理液槽が一つであればよく、省スペース化を図ることができる。さらに処理液槽の中の処理液を酸とアルカリとを交互に切りかえるため、一つの槽内に酸のみ、もしくはアルカリのみを保持しておいた場合に比べ、処理液槽の劣化を抑えることもできる。
【００１１】
ｐＨ制御手段は、異なるｐＨの溶液を有する複数の供給手段と、溶液を気液接触手段へ供給し、および気液接触手段の処理液を排水する制御装置とを含む。これにより異なるｐＨの溶液を制御装置により、気液接触手段へ送ることができる。この異なるｐＨの溶液の気液接触手段への供給割合を制御装置によって変化させることにより、気液接触手段の処理液のｐＨを経時的に変化させることができる。
【００１２】
処理液のｐＨ制御手段は、酸性水を貯蔵する酸性水貯蔵部と、アルカリ性水を貯蔵するアルカリ性水貯蔵部と、前記酸性水貯蔵部の酸性水と前記アルカリ性水貯蔵部のアルカリ性水とを気液接触手段へ供給し、および気液接触手段の処理液を排水する制御装置とを含むものである。
【００１３】
異なるｐＨの溶液を有する複数の供給手段として、酸性水貯蔵部とアルカリ性水貯蔵部とを制御装置を介して処理液のある水槽へ接続する。酸性水貯蔵部には酸性水を、アルカリ性水貯蔵部にはアルカリ性水を貯蔵しておき、制御装置の働きにより、水槽内の処理液のｐＨを経時的に変化させることができる。
【００１４】
さらにｐＨ制御手段は、中性水を貯蔵する中性水貯蔵部を含むものとすることもできる。酸性水貯蔵部とアルカリ性水貯蔵部とに加え、中性水貯蔵部を含むことにより、気液接触手段の処理液のｐＨの経時的な変化を容易にできる。
【００１５】
別の形態としてｐＨ制御手段は、水を電気分解することにより酸性水とアルカリ性水とを生成する電解槽と、電解槽で生成された酸性水と前記アルカリ性水とを気液接触手段へ供給し、および前記気液接触手段の処理液を排水する制御装置とを含むものである。
【００１６】
供給手段として、酸性水とアルカリ性水とを生成する電解槽を制御装置を介して処理液のある気液接触手段へ接続し、気液接触手段へこれらを給水することで処理液のｐＨを変化させることができる。制御装置の働きにより、水槽内の処理液のｐＨを経時的に変化させることができる。
【００１７】
以上の形態に加えて、ｐＨ制御手段は、気液接触手段の処理液のｐＨを測定するｐＨ計測手段を含むものとすることができる。ｐＨ計測手段を備えることにより、気液接触手段の処理液のｐＨを計測できる。この計測値を電気信号として制御装置へ送り、この信号によって制御装置が、酸性水とアルカリ性水を給水したり、気液接触手段の処理液を排水したりするようにできる。これによって、気液接触手段のｐＨを経時的に変化させることができる。
【００１８】
気液接触手段は、送気手段により空気清浄機内へ導入された空気を処理液内に散気し、処理液と空気とを接触させ、空気中の汚染物質を処理するものとすることができる。送気手段によって空気清浄機内に導入された空気は、散気され、処理液と接触することにより、ガス、塵埃などの汚染物質を処理液によって、空気中から処理できる。
【００１９】
気液接触手段は、流動する処理液と、送気手段または吸気手段により空気清浄機内へ導入された空気とを、空気が流動する処理液を通過することにより接触させ、空気中の汚染物質を処理するものとすることができる。流動する処理液と、空気清浄機内に導入された汚染された空気とを接触させることにより、空気中の汚染物質を処理できる。
【００２０】
気液接触手段は、含浸部材内を流動する処理液と、送気手段または吸気手段により空気清浄機内へ導入された空気とを、空気が含浸部材を通過することにより接触させ、前記空気中の汚染物質を処理するものとすることができる。含浸部材内を落下する処理液と汚染された空気とが接触することにより、空気中の汚染物質を処理できる。
【００２１】
【発明の実施の形態】
以下、図面に示す実施例を参照しつつ、本発明の実施形態を説明する。図１に、散気部を備えた空気清浄機の概念図を示す。空気清浄機１の内部には、水槽６があり、水槽６には空気に含まれる汚染物質を処理するために、処理液７が入れられている。水槽６へ空気２を送るために、送気手段としてファン３が取り付けられており、ファン３が送気管４によって散気部（曝気部ともいう）としてのエアプレート５と結合されている。エアプレート５は、多数の孔が空いている。また空気清浄機１には、水槽外部に処理液７のｐＨを変化させるための電解槽１５が備えられ、電解槽１５と水槽６との間には、制御装置１１が備えられている。電解槽１５と制御装置１１は、酸性水導入管１６とアルカリ性水導入管１７で接続されており、これらの導入管を通って、酸性水やアルカリ性水が制御装置１１へ運ばれる。また制御装置１１と水槽６とは、処理液導入管１２と処理液排出管１３で接続されており、処理液導入管１２を通って、酸性水やアルカリ性水が制御装置１１から水槽６へ運ばれ、処理液排出管１３を通って、処理液７が水槽６から制御装置１１へと運ばれる。その処理液７は、制御装置１１の排水口１４から排水される。
【００２２】
電解槽１５は、内部に水を貯蔵し、この水を電気分解する。電解槽１５内には、２つの電極１８，１９が設置してあり、この電極１８，１９に通電することにより、水の電気分解を行う。水の電気分解を行うと、それぞれの電極１８，１９付近に、酸性水、アルカリ性水が生成される。電解槽１５のアルカリ性水生成側２１と酸性水生成側２０とにそれぞれアルカリ性水導入管１７と酸性水導入管１６がつながっており、これらの導入管は、制御装置１１とつながっている。
【００２３】
制御装置１１は、酸性水導入管１６またはアルカリ性水導入管１７のどちらかまたは両方から、水槽６側へ処理液導入管１２を通って溶液を導入することができる。この酸性水、アルカリ性水のどちらかまたは両方を制御装置１１にて空気清浄機内の水槽６に送り込むことによって、水槽６内の処理液７のｐＨを変化させることができる。また制御装置１１には、処理液の排水口１４が設置されており、不必要な汚染された処理液７は、制御装置１１により、空気清浄機１外へ排水口１４から排水される。
【００２４】
ファン３により、汚染された空気が、空気清浄機１内へ取り込まれる。ファン３によって吸い込まれた空気２は、送気管４を通り、水槽６中にあるエアプレート５から水槽６内の処理液７内に排出される。エアプレート５から排出された空気は、気泡となり、処理液内を通過する間に汚染物質が除去され、水槽６の上部へと上昇していく。この後空気排出口９より、排出される。
【００２５】
複数の汚染物質を含む空気の場合、処理液のｐＨをある一定値に維持したままであると除去されにくい物質がそのまま処理されずに排出されることになる。すなわちそれぞれの汚染物質は、吸収されやすいｐＨ値があるため、処理液のｐＨが経時的に変化するようにすれば、汚染空気内の複数の汚染物質を吸収処理できる。
【００２６】
そこで制御装置１１により、水槽６内の処理液７を排出し、電解槽１５内の酸性水またはアルカリ性水を水槽６へ導入することにより、水槽６内の処理液７のｐＨを変化させる。水槽６の処理液７のｐＨは、経時的な変化をするように、制御装置１１が処理液７の排出や、酸性水やアルカリ性水の供給を行う。
【００２７】
空気清浄機内の気液接触手段の処理液のｐＨが経時的な変化をする様子を概念的に図２に示す。図は横軸が時間、縦軸が処理液のｐＨを表す。時間によって、処理液が、中性からアルカリ性、中性、酸性、中性と連続的に変化するようにする。これは、ｐＨ制御手段によって行う。このようにすれば、汚染空気の中に、酸性に吸収されやすい物質とアルカリ性に吸収されやすい物質とが存在していても、両方を処理することができる。例えば、汚染空気中に汚染物質Ａと汚染物質Ｂが存在しており、汚染物質ＡはｐＨ９前後、汚染物質Ｂは、ｐＨ６前後で吸収されやすい性質を持つとする。図に示すように時間によって水槽中の処理液のｐＨを変化させると、ｐＨが９前後となったとき、汚染物質Ａが吸収されやすい。またｐＨが６前後になれば、汚染物質Ｂが吸収されやすくなる。処理する汚染物質の種類によって、水槽内の処理液のｐＨをどのように変化させるかを決められるようにしておけば、より効率の良い除去が可能となる。
【００２８】
図３に処理液のｐＨの経時的な変化の別の例を示す。図に示すように、処理液をある一定時間中性にし、その後、例えばｐＨを９にする。一定の時間、この状態で空気清浄機を稼働した後、ｐＨを５にする。一定の時間稼働すれば、中性にする。このようにして処理液のｐＨをｐＨ制御手段によって変化させることにより、複数の汚染物質を処理することができる。
【００２９】
さらに図４に処理液のｐＨの経時的な変化の別の例を示す。図に示すように、処理液のｐＨの変化を、アルカリ性として多段階に、酸性としても多段階に変化させる。例えば、アルカリ性として、ｐＨを８と９、酸性としてｐＨを６と５になるように変化させる。このようにすれば、酸性を示す物質が複数汚染空気に含まれ、ｐＨが８で吸収されやすい物質、ｐＨが９で吸収されやすい物質があるとしても、共に処理することができる。またｐＨが９の時に処理されやすい物質が、ｐＨが８の時に処理されやすい物質より、汚染空気中に多く含まれているなら、処理液のｐＨが９である時間を長くすれば、効率よく処理できる。
【００３０】
また汚染空気中に酸性水により処理されやすい物質が含まれていない場合は、処理液が酸性とならない範囲、すなわちアルカリ性か中性の範囲で、経時的な変化をさせてもよい。
【００３１】
図５に散気部を備えた空気清浄機３５に、ｐＨ計測装置３６を設置した実施例を示す。水槽６内にｐＨ計測装置３６を設置し、このｐＨ計測装置３６は、制御装置１１と電気的に接続されている。他の構造は、前述の実施例（空気清浄機１）と同様である。
【００３２】
送気手段としてのファン３によって空気清浄機６内に導入された汚染空気２は、送気管４によってエアプレート５にまで移動し、エアプレート５から放出され、気泡となり、処理液７と気液接触を起こす。こうして汚染空気を処理すると処理液７のｐＨが変化する。これをｐＨ計測装置３６で計測し、この計測値を電気的に接続されている制御装置１１へ伝達する。この信号によりｐＨが所定の経時変化を起こすように、制御装置１１が働き、処理液排出管１３から排水口１４へ処理液７を排水し、また電解槽１５から酸性水またはアルカリ性水を水槽６へ供給する。
【００３３】
図６に散気式による空気清浄機に、ｐＨ制御手段として貯蔵部が接続されている実施例を示す。本実施例の空気清浄機４０は、処理液７を貯蔵する水槽６に制御装置１１を介して酸性水貯蔵部４１、アルカリ性水貯蔵部４２、および中性水貯蔵部４３が接続されている。中性水貯蔵部４３は省略することもできる。酸性水貯蔵部４１には酸性水を、アルカリ性水貯蔵部４２にはアルカリ性水を、中性水貯蔵部４３には中性水を予め貯蔵しておく。酸性水貯蔵部４１は、酸性水導入管１６により、アルカリ性水貯蔵部４２は、アルカリ性水導入管１７により、中性水貯蔵部４３は、中性水導入管４４により制御装置１１と接続されている。制御装置１１は、処理液導入管１２と処理液排出管１３により水槽６と接続されている。送気手段であるファン３によって空気清浄機４０内へ空気が送られ、散気部（曝気部）としてのエアプレート５から処理液７内に排出され、汚染空気と処理液とが気液接触する点は、前述と同様である。
【００３４】
水槽６内の不要になった処理液７の一部または全部は、処理液排出管１３、制御装置１１を通り、排水口１４より排出される。どの程度の量の処理液７をどのタイミングで排出するかは、制御装置１１の作用により行う。また酸性水貯蔵部４１の酸性水、中性水貯蔵部４３の中性水、あるいはアルカリ性水貯蔵部４２のアルカリ性水を所望のｐＨとなるように水槽６へ導入する。導入する酸性水、中性水、アルカリ性水の量を経時的に変化させる。例えば、空気清浄機運転開始後、初めは酸性水を多く水槽６へ導入し、水槽６の処理液を酸性にする。その後、アルカリ性水を多く水槽６へ導入し、水槽６の処理液をアルカリ性にする。さらにその後、再び酸性水を多く水槽へ導入する。また必要に応じて処理液を処理液排出管１３、制御装置１１を通って、排水口１４から排出する。このようにすれば、水槽６内の処理液７のｐＨが経時的に変化することになる。これにより、汚染空気の各種臭気成分が除去されやすくなる。
【００３５】
前述の実施例の空気清浄機３５（図５）と同様に、水槽内にｐＨ計測装置を設置し、水槽内の処理液のｐＨを測定してもよい。この場合、測定値を制御装置へ電気的な信号として伝達し、この信号によって、制御装置が水槽内の処理液を排出したり、酸性水やアルカリ性水を水槽へ供給したりし、水槽内の処理液のｐＨを経時的に変化させる。
【００３６】
以上の散気式（曝気式）空気清浄機において、散気部は、空気を排出できる形態であればよく、必ずしもエアプレートでなくてもよい。空気を排出できるものであれば、例えば球状や円筒状の形状とすることもできる。また多数の孔のある形態に限られない。また散気部を備えずに、送気管の先端から直接処理液中に空気を排出する形態としてもよい。
【００３７】
図７に水膜・噴霧式の空気清浄機において、ｐＨ制御手段として、電解槽を接続した実施例を示す。この空気清浄機５０は、水槽５１と放水部５４とを含み、水槽５１と放水部５４との間には、循環ポンプ５２が設置され、水槽５１と循環ポンプ５２と放水部５４とは、循環パイプ５３によって結ばれている。制御装置１１と電解槽１５は、酸性水導入管１６とアルカリ性水導入管１７とによって接続されている。制御装置１１は、電解槽１５から酸性水またはアルカリ性水を水槽５１側に供給する。供給する酸性水またはアルカリ性水の割合を変化させることにより、循環する処理液５５のｐＨを経時的に変化させる。これにより各種の汚染物質を吸収除去することができる。また必要に応じて、制御装置１１は、循環する処理液５５を排出口１４より排出する。空気清浄機５０内には、吸気手段としてファン３が設置されている。なおファンは、送気手段とし放水部上流側へ設置してもよいし、送気手段と吸気手段の双方を設置してもよい。
【００３８】
循環ポンプ５２によって水槽５１内の処理液５５は、空気清浄機５０内の上部の放水部５４まで汲み上げられ、放水部５４より水槽５１内へ放水される。処理液は、水膜を形成するように放水してもよいし、噴霧して霧状に放水してもよい。放水部５４から水槽５１へ放水された処理液５５は、再び循環ポンプ５２によって、放水部５４へと循環する。空気清浄機５０内には、吸気手段としてファン３が備えられておりファン３の回転によって、空気導入口６１より空気２が導入される。
【００３９】
ファン３によって空気清浄機５０内へ導入された空気２は、放水部５４から水槽５１へ放水され、落下中の流動する処理液５５内を通過することにより、処理液５５と接触する。この気液接触により、空気中の汚染物質は、処理液５５に溶解し、汚染物質が除去された空気８が、ファン３を通過して、空気清浄機５０外へ排出される。
【００４０】
本実施例の場合も同様に、制御装置１１により処理液５５を処理液排出管１３から排水口１４を通って排水する。また電解槽１５から酸性水またはアルカリ性水を水槽５１側へ導入する。この動作を時間によって行い、処理液５５のｐＨを経時変化させる。これにより複数種類の汚染物質が処理されやすくなる。
【００４１】
図７に示した実施例の空気清浄機５０の水槽内にｐＨ計測装置を設置し、このｐＨ計測装置により、処理液のｐＨを測定するようにもできる。処理液のｐＨを測定し、その測定値を電気的に制御装置へ送る。これによって、処理液が時間により所定のｐＨ変化をするように、制御装置は、水槽の処理液を処理液排水管から排水口へ排出し、電解槽から酸性水またはアルカリ性水を給水する。
【００４２】
図８に水膜・噴霧式の空気清浄機に、貯蔵部を設置した実施例を示す。酸性水貯蔵部４１、アルカリ性水貯蔵部４２、中性水貯蔵部４３が、制御装置１１を介して、循環ポンプ５２に接続されている。中性水貯蔵部４３は、省略できる。他の構造は、空気清浄機５０（図７）と同様である。
【００４３】
循環ポンプ５２によって水槽５１内の処理液５５は、空気清浄機７０の上部の放水部５４まで汲み上げられ、放水部５４より水槽５１内へ放水される。処理液は、水膜を形成するように放水してもよいし、噴霧して霧状に放水してもよい。放水部５４から水槽５１へ放水された処理液５５は、再び循環ポンプ５２によって、放水部５４へと汲み上げられ循環する。空気清浄機７０内には、ファン３が備えられており、ファン３によって、空気導入口６１より空気２が導入される。
【００４４】
ファン３によって空気清浄機７０内へ導入された空気２は、放水部５４から水槽５１へ放水され落下中の処理液５５内を通過することにより、処理液５５と気液接触する。このとき、空気中の汚染物質は、処理液５５に溶解し、汚染物質が除去された空気８が、ファン３を通過して、空気清浄機７０外へ排出される。
【００４５】
制御装置１１は、酸性水、中性水、アルカリ性水を、水槽５１側へ供給する。この供給する酸性水、中性水、アルカリ性水の割合は、経時的に変化させる。このようにすると、処理液のｐＨが経時的に変化し、ｐＨにより吸収されやすい汚染物質の種類が異なるため、各種臭気成分が汚染空気から効率よく除去される。なお必要に応じて、制御装置１１は、水槽５１、循環ポンプ５２、放水部５４と循環している処理液５５を排出口１４から排出する。
【００４６】
図８に示した実施例の空気清浄機７０の水槽内にｐＨ計測装置を設置し、このｐＨ計測装置により、処理液のｐＨを測定するようにもできる。前述の実施形態と同様に、処理液のｐＨを測定し、その測定値を制御部へ送り、これによって制御部が所定のｐＨ変化をするように、水槽の処理液を処理液排水管から排水口へ排出し、各貯蔵部から酸性水、アルカリ性水、中性水を給水する。
【００４７】
空気清浄機５０，７０のように、処理液は放水部から落下し、水膜を形成して水槽へ流動する形態でもよいし、放水部から噴霧され霧状となり水槽へ流動する形態でもよい。また処理液を空気清浄機内の上部から下部へ落下させるのではなく、横断的（横）に放水する形態にしたり、下部から上部へ向けて流動する形態にしたりしてもよい。
【００４８】
図９に含浸部材・水膜式の実施例を示す。含浸部材としての水含浸フィルター８１が、空気清浄機８０内に設置され、この水含浸フィルター８１は、循環ポンプ５２と循環パイプ５３により接続されている。含浸部材には、ウレタンのようなスポンジ状のものや、布や綿、シリカゲルなどが挙げられる。通気性のあるものであれば特に限定しない。含浸部材８１と循環ポンプ５２と循環パイプ５３によって構成される処理液の循環系側に電解槽１５を制御装置１１を介して接続する。制御装置１１の働きにより、電解槽１５内の酸性水、アルカリ性水を経時的に割合を変化させながら、処理液循環系へ供給する。また必要に応じて、処理液循環系の処理液を制御装置１１によって排水口１４より排出する。汚染空気２を導入するため、吸気手段として、空気排出口６２側にファン３を設置する。または空気導入口６１側に、送気手段として、ファンを設置してもよいし、送気手段と吸気手段の双方を取り付けることができる。
【００４９】
水含浸フィルター８１は、処理液がフィルター内において上部から下部へと流れ落ちるようになっている。流れ落ちた処理液は、循環ポンプ５２によって、水含浸フィルター８１上部まで汲み上げられそこから水含浸フィルター８１内へ放水される。処理液は水含浸フィルター８１内を伝わり下部まで落下する。水含浸フィルター８１下部まで落下した処理液は再び循環ポンプ５２で水含浸フィルター８１上部まで汲み上げられる。このようにして処理液は循環する。
【００５０】
空気清浄機８０内には、空気排出口６２に設置された、吸気手段であるファン３によって空気が導入され、空気清浄機内に設置された水含浸フィルター８１を通過してファン３によって、空気排出口６２から空気清浄機８０外へ排出される。
【００５１】
空気清浄機８０内に導入された汚染空気２が、水含浸フィルター８１を通過する際に、水含浸フィルター８１内を落下する処理液と接触し、それによって汚染空気内の塵埃、可溶性ガス等の汚染物質が処理液によって除去される。
【００５２】
前述と同様に処理液と処理対象の汚染物質との反応を効率よく進め、空気中の臭気などの汚染物質を処理するため、処理液のｐＨを経時変化させる。
【００５３】
図１０に含浸部材・水膜式の空気清浄機に貯蔵部を備えた実施例を示す。循環ポンプ５２には、制御装置１１を介して、酸性水貯蔵部４１、アルカリ性水貯蔵部４２、中性水貯蔵部４３が接続されている。中性水貯蔵部４３は、省略してもよい。その他の構造は、空気清浄機８０（図９）と同様である。
【００５４】
前述と同様に、空気清浄機内に導入された汚染空気が、水含浸フィルター８１を通過する際に、水含浸フィルター８１内を落下し流動している処理液と接触し、それによって汚染空気内の塵埃、可溶性ガス等の汚染物質が処理液によって除去される。
【００５５】
処理液と処理対象の汚染物質との反応を効率よく進めるように、処理液のｐＨを変化させる。このために処理液の循環系に制御装置１１を介して、酸性水貯蔵部４１、中性水貯蔵部４３、アルカリ性水貯蔵部４２が接続されている。それぞれの貯蔵部には、異なるｐＨの水を貯蔵しておき、制御装置１１により、処理液の循環系側へ、酸性水、中性水、またはアルカリ性水を供給する。この溶液の供給割合により、処理液のｐＨが変化する。この変化は、前述と同様に経時的に行う。これにより、複数の汚染物質を効率よく除去することができる。
【００５６】
このように処理液のｐＨが変化することにより、中性の水では吸収されにくかった汚染物質が、処理されやすくなる。汚染空気内に複数の汚染物質が含まれ、それぞれの汚染物質が吸収されやすいｐＨが異なっている場合でも、ｐＨが経時的に変化するため、それぞれが処理される。制御装置によって、処理液のｐＨを経時的に変化させ、また不要になった処理液を排出すれば、従来除去できなかった成分までも除去し、汚染空気を清浄空気とできる。
【図面の簡単な説明】
【図１】電解槽を備えた散気式空気清浄機の実施例。
【図２】処理液のｐＨの経時変化を表す図。
【図３】処理液のｐＨの経時変化を表す図２。
【図４】処理液のｐＨの経時変化を表す図３。
【図５】電解槽とｐＨ計測装置を備えた散気式空気清浄機の実施例。
【図６】貯蔵部を備えた散気式空気清浄機の実施例。
【図７】電解槽を備えた水膜・噴霧式空気清浄機の実施例。
【図８】貯蔵部を備えた水膜・噴霧式空気清浄機の実施例。
【図９】電解槽を備えた含浸部材・水膜式空気清浄機の実施例。
【図１０】貯蔵部を備えた含浸部材・水膜式空気清浄機の実施例。
【符号の説明】
１，３５，４０，５０，７０，８０，９０  空気清浄機
３  ファン
６  水槽
１１  制御装置
１５  電解槽
４１  酸性水貯蔵部
４２  アルカリ性水貯蔵部
４３  中性水貯蔵部
【図１】
2005013793.tif 000003
【図２】
2005013793.tif 000004
【図３】
2005013793.tif 000005
【図４】
2005013793.tif 000006
【図５】
2005013793.tif 000007
【図６】
2005013793.tif 000008
【図７】
2005013793.tif 000009
【図８】
2005013793.tif 000010
【図９】
2005013793.tif 000011
【図１０】
2005013793.tif 000012